(57)【要約】【課題】ディスプレイを設置する際に配線作業等が行いやすいデスクを提供する。また、ディスプレイを確実に支持することができるデスクを提供する。【解決手段】本発明のデスク１は、互いに離間して配置された複数の脚体５を含む支持フレーム２と、脚体５の前方に位置し、脚体５に昇降可能に支持された主天板３と、主天板３の後方に位置し、脚体５の上方に支持された補助天板４と、を備える。補助天板４は、前天板２４と後天板２５とを備え、前天板２４と後天板２５との間に、補助天板４の上方空間と下方空間とを連通させる間隙２６が設けられている。【選択図】図１
2014090924.tif 000002
【特許請求の範囲】
【請求項１】
互いに離間して配置された複数の脚体を含む支持フレームと、
前記脚体の前方に位置し、前記脚体に昇降可能に支持された主天板と、
前記主天板の後方に位置し、前記脚体の上方に支持された補助天板と、を備え、
前記補助天板が、前天板と後天板とを備え、
前記前天板と前記後天板との間に、前記補助天板の上方空間と下方空間とを連通させる間隙が設けられたことを特徴とするデスク。
【請求項２】
前記複数の脚体の間を連結する横連結ビームと、
前記横連結ビームに着脱可能に設置されたディスプレイ取り付け用部材と、をさらに備え、
前記ディスプレイ取り付け用部材が、前記横連結ビームに設置された状態において、前記横連結ビームから前記間隙を通して前記補助天板の上方空間に延在することを特徴とする請求項１に記載のデスク。
【請求項３】
前記ディスプレイ取り付け用部材が、クランプ部材と、ディスプレイ取り付け用支柱と、を備え、
前記クランプ部材は、前記横連結ビームを挟持して前記横連結ビームの後方に位置し、
前記ディスプレイ取り付け用支柱は、下端側が前記クランプ部材に支持されるとともに上端側が前記補助天板の上方空間に延在することを特徴とする請求項２に記載のデスク。
【請求項４】
前記補助天板を構成する前記前天板と前記後天板とのうち、少なくとも一方の天板が開閉可能とされ、
開閉可能とされた天板の下方に配線収納部を備えたことを特徴とする請求項１から３までのいずれか一項に記載のデスク。
【請求項５】
前記開閉可能とされた天板が前記後天板であり、
前記後天板が、前記後天板の後端側を中心として前端側が回動可能とされたことを特徴とする請求項４に記載のデスク。
【請求項６】
前記開閉可能とされた天板が、前記脚体から取り外し可能とされたことを特徴とする請求項４または５に記載のデスク。
【請求項７】
前記脚体に対して昇降可能に支持される昇降台をさらに備え、
前記取り外し可能とされた天板が、前記昇降台に取り付け可能とされたことを特徴とする請求項６に記載のデスク。
【発明の詳細な説明】
【技術分野】
【０００１】
本発明は、デスクに関し、特に主天板と補助天板とを備えたデスクに関する。
【背景技術】
【０００２】
従来から、主天板と補助天板とを含む２段の天板を備えたデスクが知られている（例えば、下記の特許文献１）。特許文献１のデスクにおいて、主天板は、左右の脚部に昇降自在に支持され、脚部の前方に位置している。補助天板は、脚部の上方に支持され、主天板の後方に位置している。このデスクは、例えば、使用者から見て後方側の補助天板にディスプレイを設置し、前方側の主天板にキーボード、マウス等の入力機器を載置した形態で用いられる。使用者は、好みに合わせて主天板を昇降させることで、入力機器を最適な位置に調節して使用することができる。
【先行技術文献】
【特許文献】
【０００３】
【特許文献１】特開２００７−３７９２７号公報
【発明の概要】
【発明が解決しようとする課題】
【０００４】
しかしながら、特許文献１のデスクにおいて、例えば、使用者が補助天板に設置したディスプレイの配線作業を行う際に、補助天板の後方もしくは前方から配線を引き回して補助天板の下方空間に導く必要があった。そのため、補助天板の後方もしくは前方に配線を引き回すスペースが必要になる、配線作業に手間が掛かる、等の問題が生じていた。
【０００５】
また、使用者が複数のディスプレイをデスクに設置して使用したい、という要求が高まっている。特許文献１のデスクでは、ディスプレイを設置する場合、ディスプレイを補助天板の縁にクランプして支持する形態を想定していた。そのため、複数のディスプレイを補助天板に取り付けた場合、補助天板の縁に多くの荷重が加わり、補助天板の強度が不足する虞があった。
【０００６】
本発明は、上記の課題を解決するためになされたものであって、ディスプレイを設置する際に配線作業等が行いやすいデスクを提供することを目的の一つとする。また、本発明は、ディスプレイを確実に支持することができるデスクを提供することを目的の一つとする。
【課題を解決するための手段】
【０００７】
上記の目的を達成するために、本発明の一つの態様のデスクは、互いに離間して配置された複数の脚体を含む支持フレームと、前記脚体の前方に位置し、前記脚体に昇降可能に支持された主天板と、前記主天板の後方に位置し、前記脚体の上方に支持された補助天板と、を備え、前記補助天板が、前天板と後天板とを備え、前記前天板と前記後天板との間に、前記補助天板の上方空間と下方空間とを連通させる間隙が設けられたことを特徴とする。
【０００８】
この構成によれば、例えば補助天板の上方空間にディスプレイを設置した際に、前天板と後天板との間の間隙を通してディスプレイの配線を補助天板の下方空間に引き回すことができる。このようにして、例えば補助天板の下方に載置したパソコン本体等の電子機器とディスプレイの配線とを接続することができる。そのため、補助天板の後方もしくは前方に配線を引き回すスペースが不要となり、使用者にとって配線作業が行いやすくなる。
【０００９】
本発明の一つの態様のデスクは、前記複数の脚体の間を連結する横連結ビームと、前記横連結ビームに着脱可能に設置されたディスプレイ取り付け用部材と、をさらに備え、前記ディスプレイ取り付け用部材が、前記横連結ビームに設置された状態において、前記横連結ビームから前記間隙を通して前記補助天板の上方空間に延在することを特徴とする。
【００１０】
この構成によれば、横連結ビームに設置されたディスプレイ取り付け用部材のうち、補助天板の上方空間に延在した部分にディスプレイを取り付けることができる。この構成を採用すれば、ディスプレイはディスプレイ取り付け用部材によりデスクに確実に支持される。また、ディスプレイの荷重が補助天板に加わらないため、ディスプレイの取り付けに際して補助天板の強度が問題とならなくなる。
【００１１】
本発明の一つの態様のデスクは、前記ディスプレイ取り付け用部材が、クランプ部材と、ディスプレイ取り付け用支柱と、を備え、前記クランプ部材は、前記横連結ビームを挟持して前記横連結ビームの後方に位置し、前記ディスプレイ取り付け用支柱は、下端側が前記クランプ部材に支持されるとともに上端側が前記補助天板の上方空間に延在することを特徴とする。
【００１２】
この構成によれば、クランプ部材が横連結ビームの後方に位置するため、ディスプレイ取り付け用支柱は、横連結ビームよりも後方の位置で垂直方向に延在する。これにより、ディスプレイの荷重が脚体の後側に掛かり、脚体の前側に位置する主天板の荷重とのバランスが保たれる。
【００１３】
本発明の一つの態様のデスクは、前記補助天板を構成する前記前天板と前記後天板とのうち、少なくとも一方の天板が開閉可能とされ、開閉可能とされた天板の下方に配線収納部を備えたことを特徴とする。
【００１４】
この構成によれば、使用者は、少なくとも一方の天板を開いた状態とし、その下方に位置する配線収納部にディスプレイ等の配線を収納することができる。使用者は、配線作業を行いやすく、配線を見栄え良く整理することができる。
【００１５】
本発明の一つの態様のデスクは、前記開閉可能とされた天板が前記後天板であり、前記後天板が、前記後天板の後端側を中心として前端側が回動可能とされたことを特徴とする。
【００１６】
この構成によれば、使用者は、後天板の前端側を後側に開いた状態として配線作業を行うことができる。そのため、使用者は、デスクの前方に位置したときに下方空間が見えやすくなり、配線作業を行いやすくなる。
【００１７】
本発明の一つの態様のデスクは、前記開閉可能とされた天板が、前記脚体から取り外し可能とされたことを特徴とする。
【００１８】
この構成によれば、使用者は、場合に応じて天板を脚体から取り外して配線作業等を行うことができる。例えば天板を交換する必要が生じた場合にも好適である。
【００１９】
本発明の一つの態様のデスクは、前記脚体に対して昇降可能に支持される昇降台をさらに備え、前記取り外し可能とされた天板が、前記昇降台に取り付け可能とされたことを特徴とする。
【００２０】
この構成によれば、補助天板が昇降台に伴って昇降する構成を実現できる。これにより、使用者は、補助天板の位置を好みの高さに調整することができる。
【発明の効果】
【００２１】
上述したように、本発明によれば、ディスプレイを設置する際に配線作業等が行いやすいデスクを提供することができる。また、ディスプレイを確実に支持することができるデスクを提供することができる。
【図面の簡単な説明】
【００２２】
【図１】本発明の一実施形態のデスク（補助天板を閉じた状態）を斜め前方から見た斜視図である。
【図２】本実施形態のデスク（補助天板を取り外した状態）を斜め前方から見た斜視図である。
【図３】本実施形態のデスク（補助天板を開いた状態）を斜め後方から見た斜視図である。
【図４】本実施形態のデスクの平面図である。
【図５】本実施形態のデスクの正面図である。
【図６】（Ａ）本実施形態のデスクの側面図（主天板を上昇させた状態）であり、（Ｂ）本実施形態のデスクの側面図（主天板を下降させた状態）である。
【図７】デスクの第１の使用形態を示す側面図である。
【図８】図７の要部（ディスプレイ取り付け用部材の取り付け部分近傍）の拡大図である。
【図９】デスクの第２の使用形態を示す側面図である。
【図１０】デスクの第３の使用形態を示す側面図である。
【発明を実施するための形態】
【００２３】
以下、本発明の一実施形態について、図１〜図１０を用いて説明する。
本実施形態のデスクは、例えばオフィスや家庭において、液晶ディスプレイ等のディスプレイを設置した形態で用いられるものである。
【００２４】
図１および図３に示すように、デスク１は、支持フレーム２と、主天板３と、補助天板４と、を備えている。使用者は、基本的に主天板３を自身の手前側に位置させ、補助天板４を奥側に位置させてデスク１を使用する。したがって、本明細書では、主天板３の位置する側（図１の左下側）を「前方」と称し、補助天板４の位置する側（図１の右上側）を「後方」と称して説明を進める。
【００２５】
主天板３は、使用者が例えばキーボードやマウス等の入力機器を置いて入力作業を行ったり、書面を記載したりするために用いる板体である。補助天板４は、使用者が例えば任意の物品を置くために用いる板体である。後述する使用形態の一例のように、使用者は、ディスプレイ取り付け用部材を用いて補助天板４の上方空間にディスプレイを設置することもできるし、補助天板４の上面にディスプレイを直接置くこともできる。支持フレーム２は、主天板３と補助天板４とを支持する機能を有する。
【００２６】
図２および図３に示すように、支持フレーム２は、左右一対の脚体５と、横連結ビーム６と、主天板支持体７と、を備えている。一対の脚体５は、互いに離間して配置されている。一つの脚体５は、ベース脚８と、脚柱９と、支持桿１０と、を備えている。ベース脚８は、前後方向に延在している。ベース脚８の前端および後端の下面には、高さ調整用のアジャスター１１が設けられている。脚柱９は、ベース脚８の中央よりも若干後方寄りの位置に固定されている。脚柱９は、ベース脚８と略直交し、略鉛直方向に延在している。支持桿１０は、脚柱９の上端に固定されている。支持桿１０は、脚柱９と略直交し、ベース脚８と略平行に前後方向に延在している。支持桿１０の上面には、後述する昇降台を取り付けるための取り付け孔１０ａが設けられている。
【００２７】
図５に示すように、横連結ビーム６は、脚柱９の上端寄りの位置において水平方向に延在し、両端がそれぞれ脚柱９に固定されている。このようにして、一対の脚体９同士は、横連結ビーム６により連結されている。
【００２８】
図６（Ａ）、（Ｂ）に示すように、主天板支持体７は、左右の支持桿１０の前端に、支持桿１０の前端よりも前方に張り出して取り付けられている。主天板支持体７は、後述する平行リンク機構１２を備えている。主天板支持体７は、主天板３を昇降可能、かつ主天板３の傾斜角度を変更可能に支持している。
【００２９】
図６（Ａ）、（Ｂ）に示すように、主天板支持体７は、左右一対の支持桿１０の前端に前方に張り出して取り付けられた左右１組ずつの平行リンク機構１２を備えている。１組の平行リンク機構１２は、第１リンクアーム１３と、第２リンクアーム１４と、主天板３を固定するための昇降体１５と、を備えている。第１リンクアーム１３は、後端が支持桿１０の前端部に設けられた軸受部１６に回動可能に支持されている。第２リンクアーム１４は、第１リンクアーム１３の内側において第１リンクアーム１３の上方に位置している。第２リンクアーム１４は、後端が支持桿１０の前端部に設けられた軸受部１７に回動可能に支持されている。
【００３０】
昇降体１５は、第１リンクアーム１３と第２リンクアーム１４とが互いに平行となるように、第１リンクアーム１３および第２リンクアーム１４の前端に連結されている。昇降体１５には、軸１８を中心として回動可能に支持されたブラケット１９が設けられている。主天板３は、主天板３の下面でブラケット１９に固定されている。このようにして、主天板３は、ブラケット１９および昇降体１５を介して主天板支持体７に支持されている。図５に示すように、左右一対の昇降体１５は、連結桿２０により連結されている。
【００３１】
主天板３を昇降可能、かつ主天板３の傾斜角度を変更可能とする機構として、主天板支持体７は、第１ガススプリング２１と、第２ガススプリング２２と、を備えている。第１ガススプリング２１および第２ガススプリング２２は、例えば油圧ロック機構付きガススプリングで構成されている。
【００３２】
図５および図６（Ａ）、（Ｂ）に示すように、第１ガススプリング２１の一端は横連結ビーム６の略中央に連結され、第１ガススプリング２１の他端は昇降体１５の連結桿２０に連結されている。第１ガススプリング２１は、常時、連結桿２０および昇降体１５を介して主天板３を上昇させる方向に付勢している。第１ガススプリング２１は、主天板３の昇降動作に寄与する。すなわち、図６（Ａ）に示すように、第１ガススプリング２１が伸長したとき、主天板３は上昇し、図６（Ｂ）に示すように、第１ガススプリング２１が収縮したとき、主天板３は下降する。
【００３３】
図６（Ａ）、（Ｂ）に示すように、第２ガススプリング２２の一端は連結桿２０に連結され、第２ガススプリング２２の他端は主天板３の後端の軸２３に連結されている。第２ガススプリング２２は、常時、主天板３の後端を上昇させる方向に付勢している。第２ガススプリング２２は、主天板３の傾斜角度の変更動作に寄与する。すなわち、第２ガススプリング２２が伸長したとき、水平方向に対する主天板３の傾斜角度は大きくなり、第２ガススプリング２２が収縮したとき、水平方向に対する主天板３の傾斜角度は小さくなる。
【００３４】
図４に示すように、主天板３の前端３ｆは、左右に対して中央が後方側に曲線状に凹んだ形状を呈している。主天板３の後端３ｂは、略直線状となっている。主天板３がこのような形状とされたことにより、主天板３の重心Ｇは主天板３の前後寸法の中心点Ｃ（前後寸法Ｌ＝Ｌ１×２）よりも後方に位置する。そのため、主天板３が脚体５から前方に大きく張り出していても、主天板３は脚体５に安定して支持される。また、使用者がデスク１を使用する際に主天板３の前端３ｆの凹部内に位置すると、使用者を中心として主天板３が扇形に広がる形態となる。これにより、主天板３は使用者にとって使い勝手が良いものとなる。
【００３５】
図４に示すように、補助天板４は、前方に位置する前天板２４と、後方に位置する後天板２５と、で構成されている。前天板２４と後天板２５とは別体の部材であって、略同一の形状および寸法を有している。前天板２４および後天板２５の形状は、補助天板４の上方から平面視すると、ともに長方形状である。
【００３６】
図３に示すように、補助天板４を構成する前天板２４と後天板２５とは、一対の脚体５の支持桿１０に架け渡されている。図１、図４に示すように、前天板２４と後天板２５とは互いに離間して配置されている。すなわち、前天板２４と後天板２５との間に、補助天板４の上方空間と下方空間とを連通させる間隙２６が設けられている。
【００３７】
図１、図３に示すように、前天板２４および後天板２５は、通常の使用状態において、一対の脚体５の支持桿１０の間の開口部分を塞いでいる。後天板２５は、後天板２５の後端側の縁を中心として前端側が回動可能となっている。この構成により、使用者は、間隙２６に手を差し入れて後天板２５の前端側を引き上げることにより、後天板２５を後方に向けて開くことができる。後天板２５とは対称的に、前天板２４は、前天板２４の前端側の縁を中心として後端側が回動可能となっている。この構成により、使用者は、間隙２６に手を差し入れて前天板２４の後端側を引き上げることにより、前天板２４を前方に向けて開くことができる。
【００３８】
詳細には、図８に示すように、後天板２５の後端側の縁が略直角に２回折り曲げられることにより、後天板２５の後端には溝状の第１折曲部２５ｂが設けられている。支持桿１０の後端には、後方に向けて突出する断面Ｌ字状の後鉤部１０ｋｂが設けられている。後天板２５の第１折曲部２５ｂの内部に支持桿１０の後鉤部１０ｋｂが緩く引っ掛かる形態で、支持桿１０に対して後天板２５が回動可能な構成となっている。第１折曲部２５ｂは後鉤部１０ｋｂに引っ掛かっているだけの構造であり、使用者は、後天板２５を所定の角度だけ回動させた位置で容易に取り外すことができる。
【００３９】
後天板２５の前端側の縁が略直角に１回折り曲げられることにより、後天板２５の前端には断面Ｌ字状の第２折曲部２５ｆが設けられている。支持桿１０の上面において後天板２５の第２折曲部２５ｆに対応する位置に、後溝部１０ｍｂが設けられている。後天板２５を閉じた状態において、後天板２５の第２折曲部２５ｆは後溝部１０ｍｂに挿入される。これにより、後天板２５を閉じた状態において、後天板２５の前後方向への移動（ずれ）が抑制される。
【００４０】
前天板２４は、後天板２５と同様の構成である。
前天板２４の前端には溝状の第１折曲部２４ｆが設けられている。支持桿１０の前端には、前方に向けて突出する断面Ｌ字状の前鉤部１０ｋｆが設けられている。前天板２４の第１折曲部２４ｆの内部に支持桿１０の前鉤部１０ｋｆが緩く引っ掛かる形態で、支持桿１０に対して前天板２４が回動可能な構成となっている。第１折曲部２４ｆは前鉤部１０ｋｆに引っ掛かっているだけの構造であり、使用者は、前天板２４を所定の角度だけ回動させた位置で容易に取り外すことができる。
【００４１】
前天板２４の後端には断面Ｌ字状の第２折曲部２４ｂが設けられている。支持桿１０の上面において前天板２４の第２折曲部２４ｂに対応する位置に、前溝部１０ｍｆが設けられている。前天板２４を閉じた状態において、前天板２４の第２折曲部２４ｂは前溝部１０ｍｆに挿入される。これにより、前天板２４を閉じた状態において、前天板２４の前後方向への移動（ずれ）が抑制される。
【００４２】
後天板２５の下方に、配線収納部２７が取り付けられている。配線収納部２７は、左右の両側方が開口した樋状の部材である。詳細には、図８に示すように、配線収納部２７の両端には折曲部２７ｃが設けられ、支持桿１０の折曲部２７ｃに対応する位置に上鉤部１０ｔが設けられている。配線収納部２７の折曲部２７ｃが支持桿１０の上鉤部１０ｔに引っ掛かる形態で、配線収納部２７は支持桿１０に固定されている。配線収納部２７は、例えばデスク１にディスプレイを設置したときに、間隙２６を通してディスプレイの配線を引き入れ、内部に収納するためのものである。
【００４３】
以下、本実施形態のデスク１の第１の使用形態について図７、図８を用いて説明する。第１の使用形態は、ディスプレイ取り付け用部材を用いて補助天板４の上方空間にディスプレイを設置する例である。
【００４４】
図７、図８に示すように、ディスプレイ取り付け用部材３０は、クランプ部材３１と、ディスプレイ取り付け用支柱３２と、を備えている。クランプ部材３１は、支持フレーム２の横連結ビーム６を挟持するクランプ部３３と、クランプ部３３の後方に張り出した支柱取り付け部３４を有している。クランプ部３３は、上板３３ｕ、下板３３ｂ、および側板３３ｓを有している。支柱取り付け部３４は、上板３４ｕ、および２枚の側板３４ｓを有している。
【００４５】
図８に示すように、ディスプレイ取り付け用支柱３２は、内部が中空の管状の部材である。支柱取り付け部３４の上板３４ｕにネジ孔が設けられるとともに、ディスプレイ取り付け用支柱３２の下端側内面にはネジ山が形成されている。ディスプレイ取り付け用支柱３２は、支柱取り付け部３４の上板３４ｕ下面側からネジ３５が締結された状態で、支柱取り付け部３４に固定されている。
【００４６】
図７、図８に示すように、ディスプレイ取り付け用部材３０を横連結ビーム６に取り付け、前天板２４および後天板２５を閉じた状態では、ディスプレイ取り付け用支柱３２の位置は、前天板２４と後天板２５との間隙２６の位置に対応する。
【００４７】
以上の構成により、図７に示すように、ディスプレイ取り付け用支柱３２は、下端側がクランプ部材３１に支持され、上端側が間隙２６を通して補助天板４の上方空間Ｄ１に延在する。使用者がディスプレイ取り付け用部材３０を取り付ける際には、ディスプレイ取り付け用部材３０をクランプ部材３１が横連結ビーム６を挟持するように配置する。そして、図８に示すように、上板３３ｕのネジ孔に下向きに取り付けられたネジ３６を締結し、ネジ３６の頭が上方から横連結ビーム６を付勢するようにする。図８では、１個のネジ３６のみが示されているが、実際には紙面に垂直な方向に複数個のネジ３６が設けられている。このようにして、ディスプレイ取り付け用部材３０は、横連結ビーム６に強固に固定される。
【００４８】
図７に示すように、ディスプレイ取り付け用支柱３２には、任意のアタッチメント３７およびアーム３８を介してディスプレイ４０が取り付けられる。使用者は、ディスプレイ取り付け用支柱３２に取り付けるアタッチメント３７およびアーム３８の数を増やすことにより、複数のディスプレイ４０を取り付けることができる。ディスプレイ取り付け用支柱３２におけるアタッチメント３７の固定位置やアーム３８の配置、伸縮の度合いなどは適宜調整できるようになっている。したがって、使用者は、補助天板４の上方空間Ｄ１において、一つもしくは複数のディスプレイ４０を好みの位置、好みの角度に配置することができる。
【００４９】
図７に示すように、本実施形態のデスク１においては、ディスプレイ４０の配線Ｈを前天板２４と後天板２５との間の間隙２６を通して補助天板４の下方空間Ｄ２に引き回すことができる。このようにして、例えば補助天板４の下方に載置したパソコン本体等の電子機器（図示略）と配線Ｈとを接続することができる。そのため、補助天板４の後方もしくは前方に配線Ｈを引き回すスペースが不要となり、使用者が配線作業を行いやすくなる。さらに、配線Ｈを補助天板４の下方空間Ｄ２に引き回した際、配線Ｈを配線収納部２７に収納することができる。このようにして、使用者は、配線Ｈが足下の邪魔にならないように、配線Ｈを見栄え良く整理することができる。
【００５０】
本実施形態のデスク１においては、横連結ビーム６に取り付けられたディスプレイ取り付け用部材３０にディスプレイ４０が確実に支持される。この構成であれば、補助天板の縁にディスプレイをクランプしていた従来の取り付け構造と異なり、ディスプレイ４０の荷重が補助天板４に加わることがない。そのため、ディスプレイ４０の取り付けに際して補助天板４の強度が問題とならなくなる。さらに、本実施形態の構成によれば、クランプ部材３１が横連結ビーム６の後方に位置するため、ディスプレイ取り付け用支柱３２が横連結ビーム６よりも後方に位置する。これにより、ディスプレイ４０の荷重が脚体５の後方側に掛かり、脚体５の前方側に位置する主天板３の荷重とのバランスが保たれる。
【００５１】
以下、本実施形態のデスク１の第２の使用形態について図９を用いて説明する。第２の使用形態は、補助天板４の高さを調整可能として使用する場合の例である。
【００５２】
図２、図３を用いて説明したように、脚体５の支持桿１０の上面には、昇降台４１を取り付けるための取り付け孔１０ａが設けられている。図９に示すように、取り付け孔１０ａには、脚体５に対して昇降可能に支持される昇降台４１が取り付けられる。昇降台４１は、支持枠４２と、脚柱４３と、を備えている。支持枠４２の前端および後端には、支持桿１０の前端および後端と同様の前鉤部および後鉤部（図示略）がそれぞれ設けられている。また、支持枠４２の上面中央寄りの位置には、支持桿１０と同様の前溝部および後溝部（図示略）がそれぞれ設けられている。この構成により、使用者は、支持桿１０と同様の方法で、昇降台４１の支持枠４２に前天板２４および後天板２５を取り付けることができる。
【００５３】
図９に示すように、脚柱４３には、所定の間隔をおいて複数の高さ調整孔４３ｈが設けられている。使用者は、複数の高さ調整孔４３ｈのうち、いずれかの高さ調整孔４３ｈにストッパー（図示略）を取り付け、脚柱４３を支持桿１０の取り付け孔１０ａに挿入する。このとき、ストッパーが支持桿１０の上面に当接したところで昇降台４１の高さが決まり、昇降台４１が脚体５に支持される。使用者は、異なる高さ調整孔４３ｈにストッパーを取り付けることにより、昇降台４１の高さを調節することができる。また、昇降台４１に前天板２４および後天板２５を取り付けた際にできる間隙２６’の位置は、支持桿１０に前天板２４および後天板２５を取り付けた際にできる間隙２６の位置と一致している。これにより、昇降台４１を用いる場合も、ディスプレイ取り付け用部材３０を横連結ビーム６に支障なく取り付けることができる。
【００５４】
すなわち、この使用形態においては、補助天板４の高さを調節する必要がない場合、使用者は、昇降台４１を使用する必要がなく、脚体５の支持桿１０に補助天板４を取り付ければ良い。補助天板４の高さを調節する必要がある場合、使用者は、昇降台４１に補助天板４を取り付ければ良い。
【００５５】
以下、本実施形態のデスク１の第３の使用形態について図１０を用いて説明する。第３の使用形態は、ディスプレイ取り付け用部材３０を用いることなく、補助天板４の上にディスプレイを直接載置する例である。
【００５６】
本実施形態のデスク１にディスプレイを設置する場合、使用者は、上述のディスプレイ取り付け用部材３０を必ずしも使用しなくても良い。図１０に示すように、例えば据置型のディスプレイ４５を使用する場合、補助天板４の上にディスプレイ４５を直接載置しても良い。この場合、ディスプレイ４５の台座４６が前天板２４と後天板２５とに跨るようにディスプレイ４５を配置すれば、前天板２４と後天板２５との浮き上がりがディスプレイ４５により抑えられる。さらに、任意の固定用部材を用いてディスプレイ４５の台座４６を補助天板４に固定すれば、ディスプレイ４５はさらに安定して支持される。
【００５７】
なお、本発明の技術範囲は上記実施形態に限定されるものではなく、本発明の趣旨を逸脱しない範囲において種々の変更を加えることが可能である。
例えば上記実施形態では、前天板２４と後天板２５の双方を開閉可能な構成としたが、例えば後天板２５のみを開閉可能とし、前天板２４は開閉できない構成としてもよい。また、構造的に可能であれば、配線収納部２７を前天板２４の下方に配置してもよい。
【００５８】
上記実施形態では、一つのディスプレイ取り付け用部材３０を横連結ビーム６に取り付けた例を示したが、上記実施形態と同様のディスプレイ取り付け用部材３０を複数、横連結ビーム６に取り付ける構成を採用してもよい。これにより、設置可能なディスプレイの数を増やすことができる。もしくは、上記実施形態のディスプレイ取り付け用部材３０に代えて、クランプ部材を横連結ビームの延在方向にさらに延長し、一つのクランプ部材に複数本のディスプレイ取り付け用支柱を固定したディスプレイ取り付け用部材を用いてもよい。
その他、デスクを構成する各構成要素の形状、数、配置等に関しては、上記実施形態に限らず、適宜変更が可能である。
【産業上の利用可能性】
【００５９】
本発明は、例えばオフィス、家庭などでディスプレイを設置して使用するデスクに適用可能である。
【符号の説明】
【００６０】
１…デスク、２…支持フレーム、３…主天板、４…補助天板、５…脚体、６…横連結ビーム、２４…前天板、２５…後天板、２６…間隙、２７…配線収納部、３０…ディスプレイ取り付け用部材、３１…クランプ部材、３２…ディスプレイ取り付け用支柱、４０，４５…ディスプレイ、４１…昇降台。
【図１】
2014090924.tif 000003
【図２】
2014090924.tif 000004
【図３】
2014090924.tif 000005
【図４】
2014090924.tif 000006
【図５】
2014090924.tif 000007
【図６】
2014090924.tif 000008
【図７】
2014090924.tif 000009
【図８】
2014090924.tif 000010
【図９】
2014090924.tif 000011
【図１０】
2014090924.tif 000012